(57)【特許請求の範囲】
【請求項１】
小屋の中の家畜を支えるすべての床面（２１）が、家畜をこの床面（２１）に載せた状態で小屋の縦方向に間欠的に移動可能な無端ベルト（１４）で定められる家畜飼育用小屋であって、家畜が主に住むところの床面の部分がベルト（１４）の入口端（Ａ）のところから段階的に増加して、家畜が主に糞をするところの床面の部分に段階的に変わっていき、肥料を連続排出するところのベルト（１４）出口端（Ｂ）で段階的に消滅するものであって、わらを供給するための寝わら敷き手段をベルトの入口端（Ａ）に設け、またベルトの出口端（Ｂ）にはベルトクリーナ（２２）を設けたことを特徴とする家畜小屋。
【請求項２】
ベルトクリーナ（２２）は、ベルトが端部ローラ（１５）を回った後でベルト（１４）の面の接線方向に相対的に向いた圧縮空気または加圧水用のスプレイノズル（２３）で構成され、ベルト（１４）のスプレイされる部分と肥料排出装置（２５）との間にはなめらかな滑り面（２４）を設けたことを特徴とする請求項１記載の家畜小屋。
【請求項３】
スプレイノズル（２３）はベルト（１４）の全幅にわたりスプレイ方向に対し横方向に移動可能であることを特徴とする請求項２記載の家畜小屋。
【請求項４】
肥料排出装置（２５）は閉鎖された肥料処理システムに連結される溝（２５）で構成されることを特徴とする請求項２または３に記載の家畜小屋。
【請求項５】
肥料排出溝は、閉鎖された貯蔵場所に糞を移送するために擦り落し工具の付いた引張ワイヤを内部に備えた管（２５）で構成されることを特徴とする請求項４記載の家畜小屋。
【請求項６】
肥料排出装置は、１箇所の空所に共通に通じる複数の家畜小屋間で移動可能であって、この移動がベルト（１４）の移動と協同してコンピュータ制御される運搬機（２６）で構成されることを特徴とする請求項２または３に記載の家畜小屋。
【請求項７】
スプレイノズル（２３）を運搬機（２６）側に配置することを特徴とする請求項６記載の家畜小屋。
【請求項８】
寝わら敷き手段は、家畜小屋内で移動可能で、スクリュウ供給機を備え、かつコンピュータ制御されることを特徴とする請求項１ないし７のいずれか１項に記載の家畜小屋。
【請求項９】
供給する飼料の成分や品質を管理するために、家畜小屋の家畜支持部分と家畜の連続体重測定用の固定敷物との間に少なくとも１つの重量測定セルを配置することを特徴とする請求項１ないし８のいずれか１項に記載の家畜小屋。
【請求項１０】
ベルト駆動、ベルト清掃、肥料排出、寝わら敷き、および給餌を１つの共通のコンピュータシステムで統合することを特徴とする請求項９記載の家畜小屋。
【請求項１１】
複数の類似のアセンブリと組み合わせることによって、駆動動力、飼料などの共通の供給減や共通の制御ユニットにすべての類似のアセンブリが連結可能となる運搬可能なアセンブリとして組み立てられることを特徴とする請求項１ないし１０のいずれか１項に記載の家畜小屋。
【発明の詳細な説明】
本発明は家畜飼育のための家畜小屋に関する。この発明の根底をなす問題は従来の家畜飼育、特に養豚に関連した悪い衛生条件、その結果生じるかなりの感染の危険、抗生物質の管理、劣悪な作業環境、および家畜の低成長にある。その他の現存する問題はそれほど肥沃でない土地に糞を運搬するときの困難性である。
上記の問題は主として、糞を満足した方法で除去し利用することができないことの事実と、家畜を出産から出荷に適した大きさに成長するまで同じ小屋に入れておくことができなくて、別の寝わらと混ざった別の小屋に移さなければならず、その結果として感染の危険を伴うことの事実とに基づいている。
公報ＳＵ−Ａ１２３０５５９には家畜を移動させるコンベアベルトを備えた家畜小屋が記載されている。清掃の間はベルトが小屋の外へ一方方向に移動され、その間家畜は小屋から外へ出される。清掃とわら敷きが済むとベルトは反対方向に戻されて家畜は小屋に戻される。外観的な観点からは本願が想到されるこの小屋では、しかしながら上述の問題点が解決されない。たとえ清掃を多少容易にしたとしても、清掃の度に小屋は移動しなければならない。
これらの問題および関連する問題は請求項１の特徴部分に記載の特徴を有する発明の家畜小屋によって解決される。さらなる改良と変更については従属する請求項に記載されている。
本発明の実施例を添付の図面を参照しながら説明する。
図１は本発明による家畜小屋の輪郭側面を示す。
図２は家畜小屋の一端の拡大図である。
図３は別の肥料排出装置を有する同じ一端の図である。
図１は本発明による家畜小屋の側面であり、豚の小屋のものを示す。この小屋は下端に調整具１２の付いた脚１１を有する枠１０と、例えば耐水性プライウッド製の側壁１３とで構成される。小屋のすべての床面である家畜を支える面は、一端の駆動ローラ１５上と他端の張カローラ１６上を走行する無端ベルト１４によって定められる。駆動ローラ１５はＶベルト１８を介して電動機１７によって駆動される。案内ローラ１９はこのベルトを駆動ローラ１５に押し付けた状態に保つ。家畜がベルト上部２１のところのベルト面上に載ったままで、ベルト１４は矢印２０の方向に向って間欠的に移動する。このようにして、前記ベルト上部は小屋の入口端Ａから小屋の出口端Ｂに移動する。もちろん、この間欠運動は非常に緩慢であり、家畜のちょっとした動き回り運動で簡単に家畜は逆方向に動ける。
このことは、家畜が主に住むところの床面の部分が入口端Ａのところから段階的に増加して、家畜が主に糞をするところの床面の部分へと段階的に変わっていくことを意味する。この後者の床面の部分は肥料を排出ところのベルト出口端Ｂのところで段階的に消滅する。
入口端Ａには、例えばわらを供給するための寝わら敷き手段（図示しない）を設ける。前記寝わら敷き手段はベルト部分２１の入口端Ａの上部で開口するわら供給の管で構成してもよい。この開口とベルトの上面２１との間は、家畜の堀りかえし習性に適したわらの出口穴として定められる。
出口端Ｂにはベルトクリーナ２２が配置されている。前記ベルトクリーナは、ベルトが駆動ローラ１５を回った後でベルト１４の面の接線方向に相対的に向いた圧縮空気用または加圧水用のノズル２３で構成される。ノズル２３はベルト１４の全幅にわたりスプレイ方向に対し横方向に移動可能となっている。ベルト１４のスプレイされる部分と肥料排出溝２５との間には、なめらかな滑り面２４が設けられている。肥料排出溝は管で構成され、糞を閉鎖された貯蔵場所に移送するために擦り落し工具（図示しない）の付いた引張ワイヤが管内に設けられる。余熱は家畜小屋の加熱に利用する。閉鎖された肥料処理システムにこのように連結された肥料排出溝２５は通風用としても使用することができる。
家畜小屋の家畜支持部分と家畜の連続体重測定のための固定敷物との間に重量測定セル（図示しない）を設けてもよく、これで供給飼料の成分や量が管理できる。ベルト駆動、ベルト清掃、寝わら敷きおよび給餌の制御手段は１つの同一のコンピュータシステムで統合することができる。家畜小屋は運搬可能なアセンブリとして組み立て、いくつかの類似のアセンブリと１つに組み合わせることによって、駆動動力、飼料などの共通の供給源や共通の制御ユニットにすべて連結可能な構造とすることができる。
本発明による家畜小屋は、もちろん、ベルトクリーナの開示された構造のものに限定されるものではない。別の例としては、ベルトクリーナの構造は、小屋の床ベルト１４と同じ方向に間欠的に移動する無端ベルトで構成してもよく、肥料排出溝に対し斜め上方に糞を運ぶキャリアとして構成してもよい。無端ベルトは、小屋の床ベルト１４に対し横方向に延びて、固定スプレイノズルの付いたなめらかな滑り面上のところで終わることで、糞を肥料排出溝に運ぶ構成とすることもまた可能である。さらに、なめらかな滑り面２４には横方向擦り落し工具を取り付け、固定スプレイノズルで糞が肥料排出溝に運ばれる一定の箇所に糞を集めることもできる。ベルト１４には端部Ｂのところに、隙間が変更できる調整可能な扉の付いた擦り落し工具を備えることもでき、糞を肥料排出溝に運ぶスプレイノズルの作用を補うことができる。
図３にレール２８上を車輪２７で走行する運搬機２６で構成された別の肥料排出装置を示す。このレールは複数の家畜小屋の端部Ｂに沿って延びて空いた場所（図示しない）まで達する。ここで、圧縮空気用または加圧水用のスプレイノズル２３を有するベルトクリーナ２２は運搬機２６によって支持され、なめらかな滑り面２４は家畜小屋側に残される。運搬機２６の移動はベルト１４の移動と協同してコンピュータで制御される。それによって、運搬機の家畜小屋側で問題が生じたときは、ベルトの間欠運動が始まり肥料排出を行なうことができる。
本発明の家畜小屋によると最初に述べた問題が解決でき、出産から飼育終了後の出荷まで家畜を同一の家畜小屋に入れておくことができる。このことは、衛生上の高度な要求が満たされ、家畜にいかなる抗生物質も与える必要がないことを意味する。加えて、これは、給餌、肥料排出、寝わら敷き、体重管理および消毒に関する進歩した自動化の結果として、良好な作業環境や労働力の省力について示唆を与える。小屋当たりの成長度合いの連続した追跡調査と連動したコンピュータ制御の給餌が可能となり、成長障害があれば、その情報は即座に分かる。コンピュータシステムにはまた環境管理も含まれる。連続して糞を除去することはアンモニアに絡む問題が減少することを意味する。ベルトはコンクリートに比べ家畜にとってより快適な床面を備えているので、家畜の関節に関係する問題が解消する。このことはすべて、家畜が良好に成長し、抗生物質を使わなくても予想された家畜の良好な健康や飼育のために高い市場価値が生じることを意味する。
家畜小屋は完全なアセンブリとして引き渡すことができ、この融通性があり、新しい生産場所に後で運搬可能であるために、現在の建物内で少なくとも暫定的に設置することができる。本発明は肥沃でない土地に糞を運搬するときの困難性を伴う結果として最近遭遇する大きな問題を最大限に解決するものである。肥料容積の７０％減少が期待される。このようにして、本発明は肥料を移動させることが容易で、かなりの環境上の利益をもたらすことをまた意味するものである。
【図１】
0003877335.tif 000002
【図２】
0003877335.tif 000003
【図３】
0003877335.tif 000004